(57)【要約】【課題】自動調理の全工程の一部に上バーナの燃焼を停止させて下バーナのみを燃焼させる工程を設ける必要がなく、調理物の上面および下面の両方の焼き上がりを良好にすることが可能な調理容器を提供する。【解決手段】上容器５１と下容器５２とが、ヒンジ部６０を回動軸心として互いに揺動することにより、（ａ）上容器の下側面５１ｙと下容器の上側面５２ｙとが、所定の間隔をおいて略正対した容器閉じ状態と、（ｂ）上容器の下側面と下容器の上側面とがヒンジ部を支軸として開いた容器開き状態との間で状態を変化させることができるように構成され、かつ、容器閉じ状態から容器開き状態への移行を牽制して、上容器と下容器を容器閉じ状態に保持する容器閉じ状態保持具７０を備えた構成とする。  上容器と下容器とが同一の形状を有するように構成する。【選択図】図４
2020080906.tif 000002
【特許請求の範囲】
【請求項１】
調理物が収容されるグリル庫と、前記グリル庫内の上部に配設され、前記グリル庫内に収容される調理物を上方から加熱する上バーナと、前記グリル庫内の下部に配設され、前記グリル庫内に収容される調理物を下方から加熱する下バーナとを備えたガスグリルとともに用いられる調理容器であって、
前記上バーナに面して配設される上容器と、
前記上容器の下側に、前記下バーナに面して配設される下容器と、
前記上容器の一方端部と前記下容器の一方端部とを結合するヒンジ部と、
を備えているとともに、
前記上容器と前記下容器とが、前記ヒンジ部を回動軸心として互いに揺動することにより、（ａ）前記上容器の下側面と前記下容器の上側面とが、所定の間隔をおいて略正対した容器閉じ状態と、（ｂ）前記上容器の下側面と前記下容器の上側面とが前記ヒンジ部を支軸として開いた容器開き状態との間で状態を変化させることができるように構成されており、かつ、
前記容器閉じ状態から前記容器開き状態への移行を牽制して、前記上容器と前記下容器を前記容器閉じ状態に保持する容器閉じ状態保持具を備えていること
を特徴とする調理容器。
【請求項２】
前記調理容器を構成する前記上容器および前記下容器の平面形状が略矩形であり、前記上容器の一辺と、前記下容器の一辺とに前記ヒンジ部が配設され、
前記容器閉じ状態保持部として、前記上容器の前記一辺と対向する他辺と、前記下容器の前記一辺と対向する他辺とを挟持するクリップ体を備えていること
を特徴とする請求項１記載の調理容器。
【請求項３】
前記上容器が、上容器本体と、前記上容器本体に配設された、前記ヒンジ部を構成する突起部であって、前記ヒンジ部の支軸を構成する軸体が嵌入される孔を有する突起部とを備え、
前記下容器が、下容器本体と、前記下容器本体に配設された、前記ヒンジ部を構成する突起部であって、前記ヒンジ部の支軸を構成する軸体が嵌入される孔を有する突起部とを備え、かつ、
前記上容器と前記下容器とが同一の形状を有していること
を特徴とする請求項１または２記載の調理容器。
【発明の詳細な説明】
【技術分野】
【０００１】
本発明は、調理容器に関し、詳しくは、ガスグリルとともに用いられる調理容器に関する。
【背景技術】
【０００２】
近年、グリル庫内に調理プレートなどの調理容器を収容して用いることができるように構成されたガスグリルが提案されるに至っている。
【０００３】
特許文献１には、ガスグリルのグリル庫内（の焼網上）に調理容器（調理プレート）を収容して調理を行うことができるように構成されたグリルを有する加熱調理器が記載されている。
【０００４】
この特許文献１には、特に詳しくは記載されていないものの、その段落００１２には、「焼き網２３上に調理プレートを設置すると下バーナ２２による加熱が調理プレートにより妨げられて、下バーナ２２により被加熱物（調理物）６を充分に加熱しようとして上バーナ２１により被加熱物６の上面を焦がしてしまったり、あるいは被加熱物６の上面を焦がさないようにすると充分な加熱ができなくなってしまったりするというような問題が顕著に生じるが、特許文献１の加熱調理器によれば、この点をより一層効果的に解決することができる。」という旨の記載がある。
【０００５】
そして、この記載からすると、調理プレートは、蓋をせずに用いられることが前提になっているものと考えられる。
【先行技術文献】
【特許文献】
【０００６】
【特許文献１】特開２０１０−０２２４２５号公報
【発明の概要】
【発明が解決しようとする課題】
【０００７】
しかしながら、特許文献１に記載された発明は、上記のような調理プレート（調理容器）を用いる場合において、自動調理の全工程の一部に上バーナを停止させて下バーナのみを燃焼させる工程を設けることで、被加熱物（調理物）の上面を焦がすことを防止するように構成されていることから、調理に要する時間が長くなるおそれがあり、この点において、改善の余地があるものである。
【０００８】
本発明は、上記の課題を解決するものであり、ガスグリルとともに用いられる調理容器であって、自動調理の全工程の一部に上バーナの燃焼を停止させて下バーナのみを燃焼させる工程を設ける必要がなく、調理物の上面および下面の両方の焼き上がりを良好にすることが可能な調理容器を提供することを目的とする。
【課題を解決するための手段】
【０００９】
上記の目的を達成するために、本発明の調理容器は、
調理物が収容されるグリル庫と、前記グリル庫内の上部に配設され、前記グリル庫内に収容される調理物を上方から加熱する上バーナと、前記グリル庫内の下部に配設され、前記グリル庫内に収容される調理物を下方から加熱する下バーナとを備えたガスグリルとともに用いられる調理容器であって、
前記上バーナに面して配設される上容器と、
前記上容器の上側に、前記下バーナに面して配設される下容器と、
前記上容器の一方端部と前記下容器の一方端部とを結合するヒンジ部と、
を備えているとともに、
前記上容器と前記下容器とが、前記ヒンジ部を回動軸心として互いに揺動することにより、（ａ）前記上容器の下側面と前記下容器の上側面とが、所定の間隔をおいて略正対した容器閉じ状態と、（ｂ）前記上容器の下側面と前記下容器の上側面とが前記ヒンジ部を支軸として開いた容器開き状態との間で状態を変化させることができるように構成されており、かつ、
前記容器閉じ状態から前記容器開き状態への移行を牽制して、前記上容器と前記下容器を前記容器閉じ状態に保持する容器閉じ状態保持具を備えていること
を特徴としている。
【００１０】
本発明の調理容器においては、前記調理容器を構成する前記上容器および前記下容器の平面形状が略矩形であり、前記上容器の一辺と、前記下容器の一辺とに前記ヒンジ部が配設され、
前記容器閉じ状態保持部として、前記上容器の前記一辺と対向する他辺と、前記下容器の前記一辺と対向する他辺とを挟持するクリップ体を備えていること
が好ましい。
【００１１】
また、前記上容器が、上容器本体と、前記上容器本体に配設された、前記ヒンジ部を構成する突起部であって、前記ヒンジ部の支軸を構成する軸体が嵌入される孔を有する突起部とを備え、
前記下容器が、下容器本体と、前記下容器本体に配設された、前記ヒンジ部を構成する突起部であって、前記ヒンジ部の支軸を構成する軸体が嵌入される孔を有する突起部とを備え、かつ、
前記上容器と前記下容器とが同一の形状を有していること
が好ましい。
【発明の効果】
【００１２】
本発明の調理容器は、ガスグリルとともに用いられる調理容器であって、上述のように構成されており、上容器と下容器とをヒンジ部で開閉可能に連結するようにしているので、使用中に上容器と下容器との係合位置関係がずれてしまうことを抑制することができる。
【００１３】
また、容器閉じ状態保持具を備えるので、上容器の下側面と下容器の上側面との間に調理物を挟んだ状態（調理容器に調理物を収容した状態）において、調理容器の天地を反転させるなどの操作を行った場合にも、容器閉じ状態から容器開き状態に移行することを牽制され、調理容器から調理物が脱落したり、はみ出したりすることを防止することが可能で、使い勝手の良い調理容器を実現することができる。
【００１４】
また、調理容器を構成する上容器および下容器の平面形状が略矩形で、上容器の一辺と、下容器の一辺とにヒンジ部が配設され、容器閉じ状態保持部として、上容器の一辺と対向する他辺と、下容器の一辺と対向する他辺とを挟持するクリップ体を備えた構成とした場合、複雑な構造を必要とせずに、上容器と下容器とを閉じた状態（容器閉じ状態）に確実に保持することが可能な容器閉じ状態保持具を構成することが可能になり、本発明をより実効あらしめることができる。
【００１５】
また、上容器が、上容器本体と、上容器本体に配設された、ヒンジ部を構成する突起部であって、ヒンジ部の支軸を構成する軸体が嵌入される孔を有する突起部とを備え、下容器が、下容器本体と、下容器本体に配設された、ヒンジ部を構成する突起部であって、ヒンジ部の支軸を構成する軸体が嵌入される孔を有する突起部とを備え、かつ、上容器と下容器とが同一の形状を有するように構成した場合、上容器と下容器とを、金型を用いるアルミダイキャストなどの方法によって製造する場合に、金型を共通にすることができるので、金型償却費を抑制して、製造コストを低減することができる。
【図面の簡単な説明】
【００１６】
【図１Ａ】本発明の実施形態にかかる調理容器が用いられるガスグリルを備えたガスコンロを示す平面図である。
【図１Ｂ】本発明の実施形態にかかる調理容器が用いられるガスグリルを備えたガスコンロを示す正面図である。
【図２】本発明の実施形態にかかる調理容器をグリル庫内に収容した状態を示す図であって、（ａ）は切欠き正面図、（ｂ）は切欠き側面図である。
【図３】本発明の実施形態にかかる調理容器が用いられるガスグリルを構成するグリル庫の切欠き平面図である。
【図４】本発明の実施形態にかかる調理容器を示す図であって、（ａ）は容器開き状態を示す正面図、（ｂ）は容器閉じ状態を示す正面断面図である。
【図５】本発明の実施形態にかかる調理容器を示す図であって、（ａ）は上容器と下容器が備える突起部の孔に軸体を挿入することにより、上容器と下容器とを開閉可能に連結した状態を示す平面図、（ｂ）は突起部の孔に軸体を挿入することにより上容器と下容器とを開閉可能に連結した状態（すなわち図５の（ａ）の状態）とする前の状態を示す平面図である。
【図６】本発明の実施形態にかかる調理容器が備える容器閉じ状態保持具を示す図であって、（ａ）は平面図、（ｂ）は正面図、（ｃ）は使用状態の要部正断面図である。
【発明を実施するための形態】
【００１７】
以下、本発明の実施形態を示して、その特徴とするところをさらに詳しく説明する。
なお、本実施形態では、まず本発明の実施形態にかかる調理容器が用いられるガスグリルを備えたガスコンロの構成を説明し、その後、本発明の実施形態にかかる調理容器について説明する。
【００１８】
＜ガスグリルを備えたガスコンロの全体構成＞
本実施形態におけるガスコンロＡは、図１Ａ、図１Ｂに示すように、キッチンカウンタに形成したコンロ装着口に上方から挿入して組み付ける、いわゆるビルトインタイプのガスコンロであり、コンロ本体Ｈの上部の周縁部には、キッチンカウンタに載置される鍔部Ｈ１（図１Ｂ）を備えている。
また、本実施形態にかかる調理容器が用いられるガスコンロＡは、上記の気調理容器が用いられるグリル（ガスグリル）Ｇを備えているグリル付きコンロである。
【００１９】
そして、本実施形態にかかるグリル付きコンロＡは、図１Ａ、図１Ｂに示すように、コンロ本体Ｈの上面部の前方側の左右にコンロバーナ１０（１０ａ、１０ｂ）を備えるとともに、中央の後方にコンロバーナ１０（１０ｃ）を備えている。
【００２０】
また、グリル付きコンロＡは、コンロ本体Ｈの内部にグリル（ガスグリル）Ｇを備えており、グリルＧは前面に開口Ｇ３を有するグリル庫Ｇ１とともに、開口Ｇ３を開閉するグリル扉Ｇ２を備えている。グリル扉Ｇ２は、グリル付きコンロＡの使用者がグリルＧの内部を視認するための透光窓Ｇ２１を備えている（図１Ｂ）。
【００２１】
また、コンロ本体Ｈの上部には、ガラス製の天板１１が配設され、天板１１の後方側（奥側）箇所には、グリルＧの調理排気を排出するためのグリル排気口１２（図１Ａ）が形成されている。
【００２２】
また、天板１１の上部には、コンロバーナ１０により加熱される鍋などの被加熱物を載置するための五徳１３が、左右および後方の各コンロバーナ１０（１０ａ、１０ｂ、１０ｃ）のそれぞれに対応して設けられている。
【００２３】
さらに、各コンロバーナ１０（１０ａ、１０ｂ、１０ｃ）の中央部には、鍋などの被加熱物の存在および被加熱物の底壁温度を検出するコンロバーナセンサ１４が設けられている。
【００２４】
また、コンロ本体Ｈの上面に配設された天板１１の手前側箇所には、左右および後方の各コンロバーナ１０（１０ａ、１０ｂ、１０ｃ）のそれぞれの点消火や火力調整を手動で行うためのコンロ用操作具２０（図１Ａ）が設けられている。
【００２５】
さらに、コンロ本体Ｈの前面部の右側箇所には、グリルＧに対するグリル用設定操作部（調理設定操作部）２１が、下方側を支軸（回動軸）とする前後揺動により開閉することが可能な態様で（すなわち、グリル庫奥行き方向に直交する水平方向を回動軸方向として前後に回動させることが可能な態様で）設けられている。なお、図１Ａ、図１Ｂは、グリル用設定操作部２１が閉じた状態を示している。
【００２６】
また、コンロ本体Ｈの前面部の左側箇所には、左右および後方の各コンロバーナ１０（１０ａ、１０ｂ、１０ｃ）に対するコンロ用設定操作部（調理設定操作部）２２（図１Ｂ）が、下方側を支軸（図示せず）とした前後揺動により開閉することができる（すなわち、グリル庫奥行き方向に直交する水平方向を回動軸方向として前後に回動させることができる）ように設けられている。なお、図１Ａ、図１Ｂは、コンロ用設定操作部２２が閉じた状態を示している。
【００２７】
＜特徴的構成＞
次に、本発明の実施形態にかかる調理容器の構成について説明する。
図２に示すように、本実施形態にかかる調理容器５０は、調理物Ｆが収容されるグリル庫Ｇ１と、グリル庫Ｇ１内の上部に配設され、グリル庫Ｇ１内に収容される調理物Ｆを上方から加熱する上バーナ４１と、グリル庫Ｇ１内の下部に配設され、グリル庫Ｇ１内に収容される調理物Ｆを下方から加熱する下バーナ４２とを備えたグリル（ガスグリル）Ｇとともに用いられる調理容器である。
【００２８】
また、図４（ａ）、（ｂ）に示すように、本実施形態にかかる調理容器５０を構成する上容器５１の下側面５１ｙには、上方に向けて凹没する凹部５１ｘが設けられており、また、下容器５２の上側面５２ｙには、下方に向けて凹没する凹部５２ｘが設けられている。
【００２９】
そして、上容器５１の凹部５１ｘと下容器５２の凹部５２ｘとが、調理物Ｆが収容される空間Ｓを構成する。
【００３０】
このように、上容器５１の凹部５１ｘと下容器５２の凹部５２ｘとにより形成される空間Ｓに調理物Ｆが収容され、上容器５１の下側面５１ｙと下容器５２の上側面５２ｙとの間に調理物Ｆが挟み込まれるように構成することにより、調理物Ｆを、調理容器５０の内部の空間Ｓに確実に保持しつつ調理を行うことが可能になる。
【００３１】
なお、本実施形態では、上容器５１の凹部５１ｘと下容器５２の凹部５２ｘの深さ寸法（凹没寸法）がそれぞれ２０ｍｍとされており、空間Ｓの厚みは４０ｍｍとなるように構成されている。ただし、凹部５１ｘと凹部５２ｘの深さ寸法（凹没寸法）に特別の制約はなく、他の寸法とすることが可能である。
【００３２】
例えば、上容器５１の凹部５１ｘと下容器５２の凹部５２ｘの深さ寸法（凹没寸法）を、それぞれ３ｍｍ以下とすることで、小麦粉を水で溶いた生地にするめ烏賊などの切身を具材として混ぜ込んだものを、上容器５１の下側面５１ｙと下容器５２の上側面５２ｙとの間に挟み込んで調理することで、「イカ焼」の調理を容易、かつ、良好に行うことができる。
【００３３】
さらに、調理容器５０は、上バーナ４１に面して配設される上容器５１と、上容器５１の下側に、下バーナ４２に面して配設される下容器５２とを連結するヒンジ部６０とを備えている。
【００３４】
また、本実施形態の調理容器５０は、平面形状（平面視の外形）が略矩形であり、ヒンジ部６０は、上容器５１の一辺（一方端部）５１ａと、下容器５２の一辺（一方端部）５２ａとを連結する態様で設けられている（図２（ａ）、図４（ａ），（ｂ）、図５（ａ），（ｂ）参照）。
【００３５】
また、本発明の調理容器５０においては、図５（ａ）、（ｂ）に示すように、上容器５１は、上容器本体５１ｚと、この上容器本体５１ｚに配設された、ヒンジ部６０を構成する突起部６１とを備えており、突起部６１には、ヒンジ部６０の支軸を構成する軸体８０が嵌入される孔６１ａが形成されている。
【００３６】
また、図５（ａ）、（ｂ）に示すように、下容器５２は、下容器本体５２ｚと、この下容器本体５２ｚに配設された、ヒンジ部６０を構成する突起部６２とを備えており、突起部６２には、ヒンジ部６０の支軸を構成する軸体８０が嵌入される孔６２ａが形成されている。
【００３７】
そして、本実施形態においては、調理容器５０を構成する上容器５１と下容器５２とが同一の形状となるように構成されている（図５（ｂ）に示す上容器５１を１８０度回転させると、下容器５２と同一形状となる）。
【００３８】
すなわち、図５（ｂ）に示す上容器５１あるいは下容器５２のいずれかを２個製造しておき、そのうちの一方を１８０度回転させることで、下容器５２を上容器５１として用いることが可能になり、また、同様にして、上容器５１を下容器５２として用いることが可能になるように構成されている。
【００３９】
このように、上容器５１と下容器５２とを同一形状に構成することで、上容器５１および下容器５２をアルミダイキャストによって製造する場合などに、上容器と下容器を製造するための金型を共通にすることができるので、金型償却費を抑制して、製造コストを低減することができる。
【００４０】
また、調理容器５０は、上容器５１と下容器５２とが、ヒンジ部６０を回動軸心として（より具体的には、ヒンジ部６０を構成する軸体８０を回動軸心として）互いに揺動することにより、（ａ）上容器５１の下側面５１ｙと下容器５２の上側面５２ｙとが、所定の間隔をおいて略正対した容器閉じ状態（図４（ｂ））と、（ｂ）上容器５１の下側面５１ｙと下容器５２の上側面５２ｙとがヒンジ部６０を支軸として開いた容器開き状態（図４（ａ））との間で状態を変化させることができるように構成されている。
【００４１】
すなわち、調理容器５０は、容器開き状態（図４（ａ））において、調理物Ｆの調理容器５０への出し入れを行い、容器閉じ状態（図４（ｂ））において、上容器５１における上バーナ４１に向かい合う面の裏側面である上容器５１の下側面５１ｙと、下容器５２における下バーナ４２に向かい合う面の裏側面である下容器５２の上側面５２ｙとの間に、調理物Ｆを挟んで調理を行うように構成されている。
【００４２】
さらに、調理容器５０は、容器閉じ状態（図４（ｂ））から容器開き状態（図４（ａ））への移行を牽制して、上容器５１と下容器５２を容器閉じ状態に保持する容器閉じ状態保持具７０を備えている（図２，図４（ｂ）、図６参照）。
【００４３】
本実施形態にかかる調理容器５０においては、容器閉じ状態保持具７０として、図６（ａ）、（ｂ）、（ｃ）に示すように、上容器５１の矩形の一辺（一方端部）５１ａと対向する他辺（他方端部）５１ｂと、下容器５２の矩形の一辺（一方端部）５２ａと対向する他辺（他方端部）５２ｂとを挟持するクリップ体を備えている。
【００４４】
上記クリップ体（容器閉じ状態保持具）７０は、上辺７１と、下辺７２と、上辺７１と下辺７２とを連結する連結部７３とによって形成されている。
【００４５】
このクリップ体（容器閉じ状態保持具）７０は、金属で形成されており、撓ませた状態（弾性変形した状態）、上容器５１の他方端部５１ｂと、下容器５２の他方端部５２ｂとを挟持し、そのときの復元力（弾性力）により、上容器５１と下容器５２を挟み込んで保持するように構成されている。
【００４６】
また、本実施形態にかかる調理容器５０においては、上容器５１の他辺（他方端部）５１ｂの、クリップ体（容器閉じ状態保持具）７０によって挟持される箇所には係合凹部５１ｄが設けられ、下容器５２の他辺（他方端部）５２ｂの、クリップ体（容器閉じ状態保持具）７０によって挟持される箇所には、係合凹部５２ｄが設けられている。
【００４７】
また、クリップ体（容器閉じ状態保持具）７０の上辺７１の、上容器５１の他辺（他方端部）５１ｂを挟持する箇所には、上述の係合凹部５１ｄと係合する係合突起７１ａが設けられ、クリップ体（容器閉じ状態保持具）７０の下辺７２の、下容器５２の他辺（他方端部）５２ｂを挟持する箇所には、上述の係合凹部５２ｄと係合する係合突起７２ａが設けられている（図６（ｂ）、（ｃ）参照）。
【００４８】
本実施形態においては、上述のように構成されたクリップ体（容器閉じ状態保持具）７０を上容器５１の他辺（他方端部）５１ｂと、下容器５２の他片（他方端部）５２ｂを挟持する容器閉じ状態保持具７０として用いており、クリップ体（容器閉じ状態保持具）７０の係合突起７１ａ、７１ｂが、上容器５１、下容器５２の係合凹部５１ｄ、５２ｄに嵌入し、係合することで、クリップ体（容器閉じ状態保持具）７０が、上容器５１、下容器５２から外れてしまうことを抑制して、容器閉じ状態を保持する保持具として十分に機能するように構成されている。
【００４９】
その結果、上容器５１と下容器５２の閉じ状態を確実に保持することが可能になり、信頼性の高い調理容器５０を提供することができる。
【００５０】
本実施形態にかかる調理容器５０は上述のように、上容器５１と下容器５２を備えているとともに、両者を開閉可能に結合するヒンジ部６０を備えているので、単に下容器５２上に上容器５１を載置するだけの場合よりも、グリル庫Ｇ１内における使用中に、上容器５１と下容器５２とがずれてしまうことを抑制することができる。
【００５１】
また、容器閉じ状態保持具７０を備えているので、上容器５１の下側面５１ｙと下容器５２の上側面５２ｙとの間に調理物Ｆを挟んだ状態で調理容器５０の天地を反転させる場合などのように、容器閉じ状態（図４（ｂ）参照）において調理容器５０の姿勢を変化させる操作をした場合にも、その過程で容器閉じ状態から容器開き状態（図４（ａ）参照）に移行してしまうことを牽制することが可能になるとともに、上容器５１と下容器５２との間に位置ずれが生じることをより確実に抑制することが可能になる。
その結果、調理容器５０から調理物Ｆがはみ出したり、飛び出したりすること確実に防止することが可能で、信頼性の高い調理容器５０を実現することができる。
【００５２】
なお、上記実施形態では、上容器５１と下容器５２が、略矩形の平面形状を有するものである場合を例にとって説明したが、上容器５１および下容器５２は、矩形以外の他の形状とすることも可能である。
【００５３】
また、上記実施形態では、ヒンジ部６０が、矩形の上容器５１と下容器５２の一辺（一方端部）５１ａ、５２ａ側に位置するように構成されている場合を例にとって説明したが、上容器５１と下容器５２とは平面形状が矩形に限られるものではないので、その場合には、ヒンジ部は、上容器と下容器とを容器閉じ状態と容器開き状態との間で状態を変化させることが可能な位置に配設すればよく、その具体的な構成や配設位置に特別の制約はない。
【００５４】
また、上記実施形態では、容器閉じ状態保持具（クリップ体）７０が、矩形の上容器５１と下容器５２の他辺（他方端部）側に位置するように構成されている場合を例にとって説明したが、上容器５１と下容器５２とは平面形状が矩形に限られるものではないので、その場合には、容器閉じ状態保持具は、上容器と下容器とを容器閉じ状態に維持することが可能な種々の形態とすることが可能であり、その構造や配設位置に特別の制約はない。
【００５５】
本発明は、さらにその他の点においても上記実施形態に限定されるものではなく、発明の範囲内において、種々の変形を加えることが可能である。
【符号の説明】
【００５６】
１０（１０ａ、１０ｂ、１０ｃ）    コンロバーナ
１１      天板
１２      グリル排気口
１３      五徳
１４      コンロバーナセンサ
２０      コンロ用操作具
２１      グリル用設定操作部（調理設定操作部）
２２      コンロ用設定操作部（調理設定操作部）
３１ａ    グリル用設定操作部開閉体
３１ｂ    コンロ用設定操作部開閉体
４１      上バーナ    
４２      下バーナ    
５０      調理容器    
５１      上容器      
５１ａ    上容器の一辺（一方端部）
５１ｂ    上容器の他片（他方端部）
５１ｄ    上容器の他片側突起部に形成された係合凹部
５１ｘ    上容器の凹部
５１ｙ    上容器の下側面
５１ｚ    上容器本体
５２      下容器      
５２ａ    下容器の一辺（一方端部）
５２ｂ    下容器の他片（他方端部）
５２ｄ    下容器の他片側突起部に形成された係合凹部
５２ｘ    下容器の凹部
５２ｙ    下容器の上側面
５２ｚ    下容器本体
６０      ヒンジ部
６１      上容器に配設されたヒンジを構成する突起部
６１ａ    上容器の突起部に配設された孔
６２      下容器に配設されたヒンジを構成する突起部
６２ａ    下容器の突起部に配設された孔
７０      容器閉じ状態保持具
７１      容器閉じ状態保持具の上辺
７１ａ    容器閉じ状態保持具の上辺の下面に形成された係合突起
７２      容器閉じ状態保持具の下辺
７２ａ    容器閉じ状態保持具の下辺の上面に形成された係合突起
７３      容器閉じ状態保持具の上辺と下辺の連結部
８０      軸体
Ａ        コンロ（グリル付きコンロ）
Ｇ        グリル
Ｇ１      グリル庫
Ｇ２      グリル扉
Ｇ３      開口
Ｇ２１    透光窓
Ｆ        調理物
Ｈ        コンロ本体
Ｈ１      鍔部
Ｓ        調理物が収容される空間
【図１Ａ】
2020080906.tif 000003
【図１Ｂ】
2020080906.tif 000004
【図２】
2020080906.tif 000005
【図３】
2020080906.tif 000006
【図４】
2020080906.tif 000007
【図５】
2020080906.tif 000008
【図６】
2020080906.tif 000009